(57)【要約】【課題】敷居溝に異物が混入することを防止することができるエレベータの出入口を提供する。【解決手段】エレベータの出入口に設けられたドアと、出入口の下縁部に設けられ、上方に開口した敷居溝を有した敷居と、ドアの下部に設けられ、敷居溝に摺動自在に嵌め込まれたドアシューと、を備え、ドアシューは、敷居溝の長手方向に渡ってベルト状に配置され、ドアの開閉に追従して敷居溝内を摺動し、敷居溝を常時遮蔽する構成とした。これにより、敷居溝に異物が混入することを防止することができる。【選択図】図１
2011006214.tif 000002
【特許請求の範囲】
【請求項１】
エレベータの出入口に設けられたドアと、
前記出入口の下縁部に設けられ、上方に開口した敷居溝を有した敷居と、
前記ドアの下部に固定され、前記敷居溝に摺動自在に嵌め込まれたドアシューと、
を備え、
前記ドアシューは、前記敷居溝の長手方向に渡ってベルト状に配置され、前記ドアの開閉に追従して前記敷居溝内を摺動し、前記敷居溝を常時遮蔽することを特徴とするエレベータの出入口装置。
【請求項２】
前記ドアは、両開き式で構成され、
前記ドアシューは、前記ドアの各々に対し、戸閉時の戸当たり側縁部下方と戸開時の戸袋側縁部下方に設けられた一対のローラに無端状に巻き回されたことを特徴とする請求項１記載のエレベータの出入口装置。
【請求項３】
前記ドアシューは、互いの対向端間に空間を形成して配置されたことを特徴とする請求項２記載のエレベータの出入口装置。
【請求項４】
前記ドアシューは、ゴム又は繊維で形成され、前記ローラに無端状に巻回されたベルトと、
前記ベルトよりも剛性の高い材料で形成され、前記敷居溝の長手方向に並んで前記ベルト表面に固定された複数のブロックと、
を備えたことを特徴とする請求項２又は請求項３に記載のエレベータの出入口装置。
【発明の詳細な説明】
【技術分野】
【０００１】
この発明は、エレベータの出入口装置に関するものである。
【背景技術】
【０００２】
従来のエレベータにおいて、エレベータのドアは、かごや乗場の出入口に設けられる。この出入口上縁部には、案内レールが設けられる。この案内レールに、ドアが吊り下げられる。また、ドアの下縁部には、ドアシューが下方へ突出するように設けられる。一方、かごや乗場の床面には、敷居溝が設けられる。この敷居溝に、ドアシューが案内される。これにより、ドアが円滑に開閉移動する（例えば、特許文献１参照）。
【先行技術文献】
【特許文献】
【０００３】
【特許文献１】特開２００７−３０２４０４号公報
【発明の概要】
【発明が解決しようとする課題】
【０００４】
しかし、特許文献１記載のものにおいて、敷居溝は、ドアシューが通過する以外、常時開放されている。このため、敷居溝に異物が混入しやすく、ドアの開閉時に異常音が発生したり、ドアの開閉不良となる場合がある。かかる状況を未然に防ぐため、エレベータの保守員や管理者が、定期的に敷居溝に混入した異物を取り除く作業をしなければならなかった。
【０００５】
この発明は、上述のような課題を解決するためになされたもので、その目的は、敷居溝に異物が混入することを防止することができるエレベータの出入口を提供することである。
【課題を解決するための手段】
【０００６】
この発明に係るエレベータの乗場装置は、エレベータの出入口に設けられたドアと、前記出入口の下縁部に設けられ、上方に開口した敷居溝を有した敷居と、前記ドアの下部に設けられ、前記敷居溝に摺動自在に嵌め込まれたドアシューと、を備え、前記ドアシューは、前記敷居溝の長手方向に渡ってベルト状に配置され、前記ドアの開閉に追従して前記敷居溝内を摺動し、前記敷居溝を常時遮蔽するものである。
【発明の効果】
【０００７】
この発明によれば、敷居溝に異物が混入することを防止することができる。
【図面の簡単な説明】
【０００８】
【図１】この発明の実施の形態１におけるエレベータの出入口装置の要部正面図である。
【図２】図１のＡ−Ａ線における断面図である。
【図３】この発明の実施の形態１におけるエレベータの出入口装置のドアシューの側面図である。
【図４】この発明の実施の形態１におけるエレベータの出入口装置のドアシューの縦断面図である。
【図５】この発明の実施の形態１におけるエレベータの出入口装置の要部拡大図である。
【発明を実施するための形態】
【０００９】
この発明を実施するための形態について添付の図面に従って説明する。なお、各図中、同一又は相当する部分には同一の符号を付しており、その重複説明は適宜に簡略化ないし省略する。
【００１０】
実施の形態１．
一般に、エレベータの乗場には、乗場出入口が設けられる。この乗場出入口には、乗場ドアが設けられる。一方、エレベータのかごには、かご出入口が設けられる。このかご出入口には、かごドアが設けられる。ここで、乗場ドア上部及びかごドア上部には、動力装置が設けられる。これらの動力装置が連動して、乗場ドア及びかごドアが開閉する。即ち、かごが到着していない乗場の乗場ドアが開くことはない。これにより、エレベータの利用者の安全が図られる。
【００１１】
図１はこの発明の実施の形態１におけるエレベータの出入口装置の要部正面図である。
図１において、１はエレベータのドアである。このドア１は、エレベータ出入口に設けられる。具体的には、ドア１は、乗場出入口やかご出入口に設けられる。このドア１は、両開き式のものである。２は敷居である。この敷居２は、エレベータ出入口の下縁部に設けられる。具体的には、敷居２は、乗場出入口の下縁部やかご出入口の下縁部に設けられる。
【００１２】
３はローラである。これらのローラ３は、各ドア１に対し、戸閉時の戸当たり側縁部近傍下方と戸開時の戸袋側縁部近傍下方とに対となって配置される。これらのローラ３は、軸４を介して敷居２に回転支持される。５はドアシューである。これらのドアシュー５は、各ドア１に対し、各ドア１の下方で、敷居２の長手方向に渡ってベルト状に配置される。具体的には、ドアシュー５は、各ドア１に対応した一対のローラ３に無端状に巻回される。
【００１３】
６は空間である。この空間６は、両ドアシュー５の対向端間に形成される。７は金具である。これらの金具７の上部は、各ドア１の戸当たり側下部と戸袋側下部とに固定される。また、これらの金具７の下部は、ドアシュー５に連結に固定される。
【００１４】
次に、図２を用いて、ドアシュー５の配置をより詳細に説明する。
図２は図１のＡ−Ａ線における断面図である。
図２に示すように、敷居２は、上方に開口する敷居溝８を備える。この敷居溝８の長手方向に渡って、ガイドドアシュー５が敷居溝８の両側面と僅かな隙間を有して摺動自在に嵌め込まれる。また、ドアシュー５上面は、敷居２上面と略同等の高さに配置される。これにより、敷居２上面が、平坦に形成される。
【００１５】
次に、図３及び図４を用いて、ドアシュー５の具体的構造をより詳細に説明する。
図３はこの発明の実施の形態１におけるエレベータの出入口装置のドアシューの側面図である。図４はこの発明の実施の形態１におけるエレベータの出入口装置のドアシューの縦断面図である。
【００１６】
図３に示すように、ドアシュー５は、ベルト９、ブロック１０、リベット１１を備える。ベルト９は、ゴム又は丈夫な繊維で屈曲自在に形成される。このベルト９が、ローラ３に無端状に巻回される。ブロック１０は、敷居溝８の長手方向に並んでベルト９表面に複数配置される。これらのブロック１０は、ベルト９よりも剛性の高い中空の角材で形成される。これにより、ブロック１０は、強度を維持したまま、軽量化が図られる。
【００１７】
リベット１１は、ブロック１０をベルト９に連結する。具体的には、図３及び図４に示すように、リベット１１は、ブロック１０の下面中央をベルト９に連結する。即ち、隣接するブロック１０同士は固定されていないため、ドアシュー５は、ローラ３近傍で屈曲しながら、円滑に循環移動することができる。
【００１８】
次に、図５を用いて、エレベータの出入口装置のドア１の開閉動作を説明する。
図５はこの発明の実施の形態１におけるエレベータの出入口装置の要部拡大図である。
上記で説明したドアシュー５は、ドア１の開閉に追従して、敷居２内を円滑に摺動する。かかる動作により、ドアシュー５は、常時敷居溝８を遮蔽する遮蔽帯として機能する。
【００１９】
このため、ドア１が開いているときに、エレベータ出入口部分に落ちた異物１２は、ドアシュー５の上面に留まる。即ち、異物１２が敷居溝８に落ちることはない。このとき、エレベータの利用者のハイヒールのかかと部分が敷居溝８上方から敷居２を踏みつける場合もある。この場合、ドアシュー５がハイヒールの下方への移動を阻止する。このため、ハイヒールが敷居溝８に嵌まることもない。
【００２０】
その後、ドア１が閉まると、ドア１に追従して、ドアシュー５も移動する。このとき、ドアシュー５上に留まった異物１２は、図５に示すように、ドアシュー５の移動とともに、エレベータ出入口中央側に移動され、空間６から敷居２下方へ排出される。このとき、戸袋部分に落ちた異物１２は、ドアシュー５の上面に留まる。即ち、異物１２が敷居溝８に落ちることはない。
【００２１】
その後、ドア１が開くと、ドア１に追従して、ドアシュー５も移動する。このとき、ドアシュー５上に溜まった異物１２は、ドアシュー５の移動とともに、敷居２の戸袋側端から下方へ排出される。
【００２２】
以上で説明した実施の形態１によれば、ドアシュー５は、敷居溝８の長手方向に渡ってベルト状に配置され、ドア１の開閉に追従して敷居溝８内を摺動し、敷居溝８を常時遮蔽する。このため、敷居溝８に異物１２が混入することを防止することができる。また、ハイヒール等の敷居溝８の挟まりも防止することができる。
【００２３】
さらに、ドアシュー５は、ローラ３に無端状に巻回される。このため、簡単な構成で、敷居溝８に異物１２が混入することを防止することができる。加えて、ドアシュー５は、互いの対向端間に空間６を形成して配置される。このため、ドア１が開いているときにドアシュー５上に溜まった異物１２を敷居溝８から排出し、ドア１開閉時の異常音の発生を防止するとともに、ドア１の開閉不良を防止することができる。
【００２４】
また、複数のブロック１０は、ベルト９よりも剛性の高い材料で形成され、敷居溝８の長手方向に並んでベルト９表面に固定される。このため、ハイヒール等に接触する可能性のある部品の強度を保持しつつ、屈曲可能なドアシュー５を製作することができる。
【００２５】
なお、実施の形態１においては、ドアシュー５は、ベルト９、ブロック１０、リベット１１で構成されていた。しかし、ドアシュー５は、ハイヒール等の挟まりを防止することができる程度の圧縮強度を持つ帯状の樹脂やゴムで形成してもよい。
【００２６】
また、実施の形態１においては、両開き式のドア１の場合で説明した。しかし、片開き式のドアにおいても、ドアシューを、ドアの開閉に追従して敷居溝内を摺動し、敷居溝を常時遮蔽する構成とすれば、敷居溝に異物が混入することを防止することができる。
【符号の説明】
【００２７】
１  ドア、  ２  敷居、  ３  ローラ、  ４  軸、  ５  ドアシュー、  ６  空間、
７  金具、  ８  敷居溝、  ９  ベルト、  １０  ブロック、  １１  リベット、
１２  異物
【図１】
2011006214.tif 000003
【図２】
2011006214.tif 000004
【図３】
2011006214.tif 000005
【図４】
2011006214.tif 000006
【図５】
2011006214.tif 000007